(57)【要約】【課題】閉鎖空間内の臭気を効果的に除去することができる消臭装置を提供する。【解決手段】閉鎖空間の内部を消臭する装置であって、オゾンガスを発生させるオゾン発生器１２と、オゾンガスを分解するオゾン分解装置２２とを備え、オゾン分解装置２２は、オゾン分解フィルタ２４と、外部から気体を導入してオゾン分解フィルタ２４を通過させる送風手段２６とを備えており、オゾン発生器１２の作動中は送風手段２６を停止させ、オゾン発生器１２の停止後に送風手段２６を作動させる制御手段３０を更に備える。【選択図】  図１
2004305264.tif 000002
【特許請求の範囲】
【請求項１】
閉鎖空間の内部を消臭する方法であって、
オゾンガスを発生させて閉鎖空間内に充満させることにより、該閉鎖空間の臭気成分を除去するステップと、
前記閉鎖空間内に気流を発生させてオゾン分解フィルタを通過させることにより、前記閉鎖空間のオゾンガスを除去するステップとを含む消臭方法。
【請求項２】
閉鎖空間の内部を消臭する装置であって、
オゾンガスを発生させるオゾン発生器と、オゾンガスを分解するオゾン分解装置とを備え、
前記オゾン分解装置は、オゾン分解フィルタと、外部から気体を導入して前記オゾン分解フィルタを通過させる送風手段とを備えており、
前記オゾン発生器の作動中は前記送風手段を停止させ、前記オゾン発生器の停止後に前記送風手段を作動させる制御手段を更に備える消臭装置。
【請求項３】
前記オゾン分解フィルタは、オゾン分解触媒として金属フタロシアニン誘導体を備える請求項２に記載の消臭装置。
【請求項４】
前記制御手段は、閉鎖空間の大きさ及び臭気の強さに関する情報の入力に基づいてオゾン発生時間を決定し、前記オゾン発生器を前記オゾン発生時間作動させた後に前記送風手段を作動させる請求項２又は３に記載の消臭装置。
【発明の詳細な説明】
【０００１】
【発明の属する技術分野】
本発明は、閉鎖空間の内部を消臭する消臭方法及び消臭装置に関する。
【０００２】
【従来の技術】
従来の消臭装置として、空気中の臭気成分をオゾンと反応させて除去する構成が知られている。例えば、特許文献１に開示されたオゾン脱臭装置は、機枠内にオゾン発生器及びオゾン分解フィルタを備えており、送風機の作動により臭気成分を含む空気が機枠内に導入されるように構成されている。このオゾン脱臭装置は、導入された臭気成分が、オゾン発生器により発生したオゾンとオゾン分解フィルタの表面で反応して除去され、残存するオゾンが、オゾン分解フィルタの表面で分解されることにより、脱臭が行われる。
【０００３】
【特許文献１】
特開２００１−１４９４５７（４−５頁、第１図）
【０００４】
【発明が解決しようとする課題】
ところが、上記特許文献１に開示されたオゾン脱臭装置は、オゾン発生器と送風機とを同時に作動させることにより、装置内に臭気成分を導入してオゾンと反応させるように構成されているので、装置を通過する空気の臭気成分しか除去することができず、室内の壁面等に吸着された臭気成分を除去することができないので、十分な消臭効果が得られないという問題があった。
【０００５】
例えばホテルにおいては、客室利用者の香水のにおいや、客室内で焚いたお香のにおいなどが壁面等に染み付いた状態になることがあるが、上記従来の消臭装置では、このような場合のにおいの除去に数日を要してしまい、その間は次の客に対して客室を提供することができないという問題があった。同様の問題は病室や老人施設等においても生じており、内部にいる患者や老人から発生する特有の異臭が壁面等に吸着するため、効果的な消臭が求められていた。
【０００６】
本発明は、このような問題を解決すべくなされたものであって、閉鎖空間内の臭気を効果的に除去することができる消臭方法及び消臭装置の提供を目的とする。
【０００７】
【課題を解決するための手段】
本発明の前記目的は、閉鎖空間の内部を消臭する方法であって、オゾンガスを発生させて閉鎖空間内に充満させることにより、該閉鎖空間の臭気成分を除去するステップと、前記閉鎖空間内に気流を発生させてオゾン分解フィルタを通過させることにより、前記閉鎖空間のオゾンガスを除去するステップとを含む消臭方法により達成される。
【０００８】
また、本発明の前記目的は、閉鎖空間の内部を消臭する装置であって、オゾンガスを発生させるオゾン発生器と、オゾンガスを分解するオゾン分解装置とを備え、前記オゾン分解装置は、オゾン分解フィルタと、外部から気体を導入して前記オゾン分解フィルタを通過させる送風手段とを備えており、前記オゾン発生器の作動中は前記送風手段を停止させ、前記オゾン発生器の停止後に前記送風手段を作動させる制御手段を更に備える消臭装置により達成される。
【０００９】
この消臭装置において、前記オゾン分解フィルタは、オゾン分解触媒として金属フタロシアニン誘導体を備えることが好ましい。
【００１０】
また、前記制御手段は、閉鎖空間の大きさ及び臭気の強さに関する情報の入力に基づいてオゾン発生時間を決定し、前記オゾン発生器を前記オゾン発生時間作動させた後に前記送風手段の作動を開始することが好ましい。
【００１１】
【発明の実施の形態】
以下、本発明の実態形態について添付図面を参照して説明する。図１は、本発明の一実施形態に係る消臭装置の概略構成図である。図１に示すように、消臭装置１は、ケーシング２の内部が隔壁４により仕切られてオゾン発生室１０及びオゾン分解室２０が形成されており、ケーシング２に隣接する制御ユニット３０を備えて構成されている。
【００１２】
オゾン発生室１０は、吸気口１０ａ及び排気口１０ｂを備えており、内部にオゾン発生器１２が配置されている。オゾン発生器１２は、一対の電極間に高電圧を印加することによりコロナ放電を生じさせてオゾンを発生するように構成されており、例えば、一対の電極を針状電極と筒状電極とから構成し、針状電極から筒状電極に向けてマイナスイオンを含む気流を生じさせるようにすることで、電動ファンを設けずにオゾンを排気口１０ｂから放出することができる。
【００１３】
オゾン分解室２０は、吸気口２０ａ及び排気口２０ｂを備え、内部にオゾン分解装置２２が配置されており、オゾン分解装置２２は、オゾン分解フィルタ２４及び送風機２６により構成されている。
【００１４】
オゾン分解フィルタ２４は、オゾンを分解処理するオゾン分解触媒を備えており、例えば、銅フタロシアニン、亜鉛フタロシアニン、鉄フタロシアニンなどの金属フタロシアニン誘導体を高分子化合物に結合させた高分子金属錯体を、不織布やハニカム状多孔質体などに担持させたものを好ましく用いることができる。オゾン分解フィルタ２４は、触媒の代わりに活性炭などを備えることで、オゾンを吸着可能な構成にしてもよい。また、送風機２６は、モータ２６ａ及びファン２６ｂから構成されている。
【００１５】
制御ユニット３０は、オゾン発生器１２及び送風機２６の作動制御を行うものであり、これらの作動時間を入力可能な入力部、及び、当該作動時間の入力に基づいてオゾン発生器１２及び送風機２６の作動時間を決定するためのテーブル等を格納したメモリを備えている。
【００１６】
上記構成を備えた消臭装置１は、閉鎖可能な空間内部の消臭において好適に用いることができる。閉鎖可能な空間としては、例えば、ホテルの客室、病室、霊安室、老人施設、車両（電車、バス、乗用車など）、エレベータ、オフィス、下駄箱などを挙げることができる。以下、消臭装置１を用いた消臭方法について説明する。
【００１７】
まず、閉鎖空間内に消臭装置１を設置し、入力部において作動時間を入力した後に制御ユニット３０のスイッチをＯＮにすると、制御ユニット３０は、入力された作動時間に基づいて、まずオゾン発生器１２を所定時間作動させる。例えば、入力された作動時間が３時間である場合、制御ユニット３０は、予め設定されたテーブルに基づいて、オゾン発生器１２の作動時間を２時間と決定する。
【００１８】
発生したオゾンは、閉鎖空間に均一に拡散されて、閉鎖空間内にオゾンが充満する。これにより、閉鎖空間における空気中の臭気成分だけでなく、閉鎖空間の壁面（天井壁、側壁、床壁）や備品（カーテン、机など）に吸着していた臭気成分についてもオゾンと反応させて分解することができ、閉鎖空間全体の臭気成分を除去することができる。
【００１９】
次に、制御ユニット３０は、オゾン発生器１２を停止させると共に、入力された作動時間に基づいて送風機２６を所定時間作動させる。例えば、入力された作動時間が３時間である場合、制御ユニット３０は、予め設定されたテーブルに基づいて、送風機２６の作動時間を１時間と決定する。
【００２０】
これにより、閉鎖空間内のオゾンがオゾン分解室２０に導入され、オゾン分解フィルタ２４を通過することにより酸素に分解される結果、閉鎖空間に充満していたオゾンが除去される。この後、制御ユニット３０は、送風機２６を停止する。こうして、閉鎖空間における消臭が完了する。
【００２１】
以上、本発明の一実施形態について詳述したが、本発明の具体的な態様が上記実施形態に限定されるものではない。例えば、本実施形態においては、作動時間の入力を、トータルの作動時間として入力するようにしているが、オゾン発生器１２の作動時間及び送風機２６の作動時間を個別に入力するように構成してもよい。好ましい作動時間の一例を挙げると、オゾン発生器１２が１〜３時間程度であり、送風機２６が１時間程度である。
【００２２】
また、本実施形態のように必ずしも作動時間の形で入力する必要はない。例えば、図２に示すように、消臭を行う閉鎖空間の大きさ（例えば、床面積）および臭気の強さを個別に選択可能なスライド式のレバー３２，３４を制御ユニット３０に設けると共に、これらの選択結果に対応するオゾン発生器１２及び送風機２６の各作動時間をテーブルの形で予めメモリに格納しておくことも可能である。具体的には、オゾン発生器１２の作動時間と送風機２６の作動時間との比がほぼ一定の下で、閉鎖空間が大きく臭いが強いほどオゾン発生器１２及び送風機２６の作動時間が長くなり、閉鎖空間が小さく臭いが弱いほどオゾン発生器１２及び送風機２６の作動時間が短くなるように、オゾン発生器１２及び送風機２６の各作動時間を決定することが好ましい。この制御ユニット３０によれば、各レバー３２，３４をセットした後にスイッチ３６をＯＮにすることで、各レバー３２，３４の位置に基づいてオゾン発生器１２及び送風機２６の各作動時間が決定され、閉鎖空間の状況に応じた消臭を最短時間で効率よく行うことができる。
【００２３】
また、オゾン発生器１２及び送風機２６の作動制御については、必ずしも作動時間に基づく必要はない。例えば、閉鎖空間の濃度を検出するオゾンセンサを設け、制御ユニット３０が、オゾン発生器１２の作動開始後に所定のオゾン濃度を検知した時点で、オゾン発生器１２を停止するようにしてもよい。また、送風機２６の送風流量を検出する流量計を設け、制御ユニット３０が、送風機２６の作動開始後の積算送風量が所定値に達した時点で、送風機２６を停止するようにしてもよい。
【００２４】
【実施例】
（実施例１）
ホテルの客室で面積２８平方メートルのツインルームにおいて、換気扇を止めて部屋を密閉して紙巻きたばこ３本を１０分間燃焼させた後、この部屋を密閉状態で５０分間放置し、たばこ臭を部屋に染み込ませた。そして、換気扇を動作させると共に窓を１０分間開放して空気の入れ換えを行った後、換気扇を止め部屋を密閉した状態で１時間放置したところ、たばこ臭は６段階臭気判定（０〜５）で３であった。
【００２５】
この後、本発明の上記実施形態に係るオゾン脱臭装置を用いて、客室内の消臭を行った。オゾン分解フィルタ２４としては、大きさが２０ｃｍ×２０ｃｍで開口率が４０％のハニカム状フィルタを使用し、鉄フタロシアニンを担持させた。鉄フタロシアニンの担持量は１．８ｇとした。
【００２６】
まず、オゾン発生器１２を３時間作動させてオゾンを発生させたところ、たばこ臭は感知できなくなりオゾン臭のみが残った。この時のオゾン臭の臭気レベルは５であった。この後、オゾン発生器１２を停止し、送風機２６を１時間作動させて、オゾン分解フィルタ２４におけるオゾン分解を行った。送風機２６の送風量は、２．０  ｍ３／分とした。この結果、オゾンが分解されて、オゾン臭、たばこ臭ともに臭気レベルが０となり、客室の脱臭を完了することができた。オゾン分解フィルタ２４の担持成分を銅フタロシアニン又は亜鉛フタロシアニンに変えたオゾン脱臭装置の場合も、同様の脱臭効果を得ることができた。
【００２７】
（実施例２）
オゾン分解フィルタ２４としてヤシ殻活性炭を用いる他は、実施例１と同様にオゾン脱臭装置を構成し、実施例１と同様の試験を行った。オゾン発生器１２を３時間作動させた後のオゾン臭の臭気レベルは、実施例１と同じく５であったが、その後、送風機２６を１時間作動させた後のオゾン臭のレベルは４であり、脱臭レベルは十分でなかった。送風機２６の作動を継続したところ、レベル０になるまでは１８時間を要した。
【００２８】
このように、本実施例２の場合も最終的には十分な消臭効果を得ることができたが、実施例１との比較においては消臭時間の点で劣る結果となった。
【００２９】
【発明の効果】
以上の説明から明らかなように、本発明によれば、閉鎖空間内の臭気を効果的に除去することができる。
【図面の簡単な説明】
【図１】本発明の一実施形態に係る消臭装置の概略構成図である。
【図２】本発明の他の実施形態に係る消臭装置の一部拡大図である。
【符号の説明】
１  消臭装置
２  ケーシング
４  隔壁
１０  オゾン発生室
１２  オゾン発生器
２０  オゾン分解室
２２  オゾン分解装置
２４  オゾン分解フィルタ
２６  送風機
【図１】
2004305264.tif 000003
【図２】
2004305264.tif 000004